(57)【要約】【課題】  従来の小型卓上超音波洗浄機では、真空超音波洗浄機に構成するには、構成を大きく変更しなければならないいう問題がある。【解決手段】  ハウジング１に洗浄タンク２の上部周囲が固着され、洗浄タンク２の底部に圧電体振動子３が装着され、ハウジング１の底部に装着された発振器４から発振出力が圧電体振動子３に印加され、又、洗浄タンク２の底部に洗浄液を排出する排出器５が装着され、さらに、ハウジング１の上部に蓋部材６がパッキン７によって密閉され、この蓋部材６の中央部分に形成された装着部６ａに真空ポンプ８が内蔵され、真空ポンプ８に接続された空気抜き８ａが蓋部材６の下部に突出し、真空ポンプ８と発振器５は電源９に接続されている。【選択図】図１
2007098191.tif 000002
【特許請求の範囲】
【請求項１】
洗浄タンクの上部が一体に装着されたハウジングと、前記洗浄タンクの底部に装着された圧電体振動子と、該圧電体振動子に発振出力を印加する発振器とからなる超音波洗浄機と、前記ハウジングの上部に密閉するパッキンを装着し、中央部分に空気抜きを接続した真空ポンプを装着した蓋部材と、前記発振器及び前記真空ポンプに電力を供給する電源とからなることを特徴とする真空超音波洗浄装置。
【請求項２】
前記蓋部材に圧力抜きを装着することを特徴とする請求項１記載の真空超音波洗浄装置。
【請求項３】
前記空気抜きに電磁弁を接続し、前記電磁弁をコントローラで切り替えることを特徴とする請求項１記載の真空超音波洗浄装置。
【発明の詳細な説明】
【技術分野】
【０００１】
本発明は、ハウジングに洗浄タンクを備え、洗浄タンクに圧電体振動子を装着した超音波洗浄機に真空ポンプを設けた蓋部材を装着した真空超音波洗浄装置に関するものである。
【背景技術】
【０００２】
従来の小型卓上超音波洗浄機は、ハウジングの内部に洗浄タンクを装着し、洗浄タンクの底部に圧電体振動子を装着するように構成し、洗浄タンクの上部は解放され、洗浄タンクに洗浄液を入れて、眼鏡や時計のバンド又は小さな袋物等を洗浄するようにしている。
【０００３】
しかしながら、このように構成された従来の小型卓上超音波洗浄機では、一般に、洗浄タンク内を真空にすることは行われておらず、洗浄タンク内を真空にするには、真空ポンプをハウジング内に装着しなければならず、又、洗浄タンク内の空気を抜くために、空気抜きを洗浄タンクに装着しなければならず、小型卓上超音波洗浄機の構成を大きく変更しなければならないという問題がある。
【特許文献１】特開平７−１１６６２０号
【発明の開示】
【発明が解決しようとする課題】
【０００４】
解決しようとする問題点は、従来の小型卓上超音波洗浄機では、真空超音波洗浄機に構成するには、構成を大きく変更しなければならないいう問題がある。
【課題を解決するための手段】
【０００５】
本発明では、超音波洗浄機はハウジングが洗浄タンクの上部が一体に装着され、圧電体振動子が洗浄タンクの底部に装着され、発振器が圧電体振動子に発振出力を印加するように構成され、蓋部材はハウジングの上部に密閉するパッキンを装着し、中央部分に空気抜きを接続した真空ポンプを装着し、発振器及び前記真空ポンプに電力を供給する電源とからなるものである。
【発明の効果】
【０００６】
本発明の真空超音波洗浄液装置では、蓋部材をハウジングの上部にパッキンを介して密閉するように構成し、蓋部材に真空ポンプを装着して、真空ポンプに接続された空気抜きを蓋部材の下に装着することにより、超音波洗浄機の洗浄タンクを装着したハウジングの上部に蓋部材を密閉して、真空ポンプを駆動することにより、簡単に洗浄機タンク内を真空にすることができ、又、空気抜きに電磁弁を接続し、電磁弁をタイマでコントロール（切り替える）ことにより、メクラ穴の気泡や汚れの剥離を短時間で行うことができる。
【発明を実施するための最良の形態】
【０００７】
本発明では、真空ポンプと空気抜きを蓋部材に装着することにより、従来の超音波洗浄機を簡単に真空超音波洗浄装置として変更することができる。
【実施例】
【０００８】
図１は本発明の実施例の真空超音波洗浄装置の側面断面図、図２は蓋部材の平面図、図３は蓋部材の側面断面図で、ハウジング１に洗浄タンク２の上部周囲が固着され、洗浄タンク２の底部に圧電体振動子３が装着され、ハウジング１の底部に装着された発振器４から発振出力が圧電体振動子３に印加され、又、洗浄タンク２の底部に洗浄液を排出する排出器５が装着され、さらに、ハウジング１の上部に蓋部材６がパッキン７によって密閉され、この蓋部材６の中央部分に形成された装着部６ａに真空ポンプ８が内蔵され、真空ポンプ８に接続された空気抜き８ａが蓋部材６の下部に突出し、真空ポンプ８と発振器５は電源９に接続されている。
【０００９】
このように構成された本実施例の真空超音波洗浄装置では、ハウジング１の上部の蓋部材６を外し、洗浄タンク２内に洗浄液及び被洗浄物器を入れ、蓋部材６をハウジング１の上部にかぶせて密閉し、真空ポンプ８を差動すると、空気抜き８ａから洗浄タンク２内の空気が抜かれ、洗浄タンク２内が真空になるので、適宜真空になった状態の時に、発振器５から発振出力を印加すると、洗浄タンク２内が真空の状態で洗浄することができるので、常圧の状態では洗浄仕切れなかった微細孔や袋穴の洗浄ができ、又、洗浄中に大きな気泡が除去され、より強力なキャビテーションが得られ、さらに、洗浄力が強力になるため、洗浄時間が短縮されるという利点があり、又、洗浄タンク２内に圧力抜き弁１０によって空気を供給して常圧とすることにより、蓋部材６を簡単に外すことができるので、通常の圧力による洗浄が可能になる。
【００１０】
図４は本発明の他の実施例の真空超音波洗浄装置の蓋部材の平面図で、６は蓋部材、８は真空ポンプ、１０は圧力抜き弁で、これらの構成は上記実施例と同じであるので、説明は省略するが、本実施例では、真空ポンプ８と空気抜き８ａとの間に電磁弁１１を装着し、この電磁弁１１をコントローラ１２で決められた時間毎にオン・オフするように構成している。
【００１１】
このように構成した本実施例の真空超音波洗浄装置では、電磁弁１１をコントローラでオン・オフして、真空と常圧を予め決められた時間間隔でコントロールすることにより、メクラ穴の気泡や汚れの剥離を短時間で行うことができる。
【産業上の利用可能性】
【００１２】
なお、上記実施例において、ハウジング１と洗浄タンク２を別に構成しているが、ハウジング１と洗浄タンクを一体に構成したものでもよい。
【図面の簡単な説明】
【００１３】
【図１】本発明の実施例の真空超音波洗浄装置の側面断面図である。
【図２】図１の蓋部材の平面図である。
【図３】図１の蓋部材の側面断面図である。
【図４】本発明の他の実施例の真空超音波洗浄装置の蓋部材の平面図である。
【符号の説明】
【００１４】
１                ハウジング
２                洗浄タンク
３                圧電体振動子
４                発振器
５                排出器
６                蓋部材
７                パッキン
８                真空ポンプ
９                電源
１０              圧力抜き弁
１１              電磁弁
１２              コントローラ
【図１】
2007098191.tif 000003
【図２】
2007098191.tif 000004
【図３】
2007098191.tif 000005
【図４】
2007098191.tif 000006